(57)【要約】【課題】  熱源の使用に連動して連動機器を運転するものにおいて、連動機器による無駄な電力消費を防止する事を目的とするものである。【解決手段】  熱源と、この熱源の使用時間を計測する調理時間計測手段と、熱源の使用に連動して換気扇等の連動機器を制御する連動機器制御手段とを備え、調理時間計測手段により熱源の使用時間を計測し、熱源の停止後、連動機器制御手段にて調理時間計測手段により計測した使用時間に応じて設定した所定時間経過後に連動機器の運転を停止する様に構成して成る。【選択図】        図１
2008241119.tif 000002
【特許請求の範囲】
【請求項１】
熱源と、この熱源の点滅操作や火力設定を行う操作手段と、この操作手段の操作を検出して上記熱源の使用時間を計測する調理時間計測手段と、上記熱源の使用に連動して換気扇等の連動機器を制御する連動機器制御手段とを備え、上記調理時間計測手段により熱源の使用時間を計測し、上記熱源の停止後、上記連動機器制御手段にて上記調理時間計測手段により計測した使用時間に応じて設定した所定時間経過後に上記連動機器の運転を停止する事を特徴とする加熱調理器と周辺機器との連動装置。
【請求項２】
上記連動機構制御手段を、上記熱源の火力に応じて上記所定時間を補正する様に構成した事を特徴とする、上記請求項１に記載の加熱調理器と周辺機器との連動装置。
【請求項３】
上記熱源を被調理物を載せる天板の下方に配置すると共に、この天板の温度を検出するサーモスイッチを設け、かつ上記連動機器制御手段により少なくとも換気扇を制御し、上記熱源の停止後上記天板の温度が予め設定した所定温度以下に低下時に上記換気扇を停止する様に構成した事を特徴とする、上記請求項１又は２の何れかに記載の加熱調理器と周辺機器との連動装置。
【請求項４】
上記連動機器制御手段を、上記天板の温度が所定温度以下に低下後、予め設定した所定時間経過後に上記換気扇を停止する様に構成した事を特徴とする、上記請求項３に記載の加熱調理器と周辺機器との連動装置。
【発明の詳細な説明】
【技術分野】
【０００１】
本発明は、電気やガスを熱源とした加熱調理器と、換気扇や照明器具等の周辺機器とを連動制御する加熱調理器と周辺機器との連動装置に関する。
【背景技術】
【０００２】
ガスや電気を熱源とする調理器と換気扇等の周辺機器とを連動させる連動装置を備えた調理装置では、例えば特許文献１に示される様に、調理器の調理が終了後、所定時間経過してから換気扇の運転を停止する様に構成している。
【０００３】
そして、上記特許文献１に示される構成では、調理終了後一定時間換気扇を運転する為、調理時間が長い場合には換気量が不足し、調理時間が短い場合には換気扇により無駄な電力を消費するという問題があり、例えば特許文献２に示される様に、調理中に発生したガス発生量に応じて遅延時間を設定するものがある。
【特許文献１】特開２００５−１５５９２７号公報
【特許文献２】特許第３２７６０２８号公報
【発明の開示】
【発明が解決しようとする課題】
【０００４】
一方、上記特許文献２に示される構成では、調理中に発生したガス量を検出するガス検出手段や、調理の開始を検出するための温度センサが必要となり、部品点数や制御の複雑化によるコストアップを招くという問題がある。
【０００５】
そこで本発明は、比較的簡単な構成にて調理時間に応じて連動機器の運転時間を調節し、無駄な電力消費を防止する事を目的とするものである。
【課題を解決するための手段】
【０００６】
本発明の請求項１の構成は、熱源と、この熱源の点滅操作や火力設定を行う操作手段と、この操作手段の操作を検出して熱源の使用時間を計測する調理時間計測手段と、熱源の使用に連動して換気扇等の連動機器を制御する連動機器制御手段とを備え、調理時間計測手段により熱源の使用時間を計測し、熱源の停止後、連動機器制御手段にて調理時間計測手段により計測した使用時間に応じて設定した所定時間経過後に連動機器の運転を停止する様に構成して成るものである。
【０００７】
本発明の請求項２の構成は、請求項１の構成において、連動機構制御手段を、熱源の火力に応じて所定時間を補正する様に構成して成るものである。
【０００８】
本発明の請求項３の構成は、請求項１又は２の構成において、熱源を被調理物を載せる天板の下方に配置すると共に、この天板の温度を検出するサーモスイッチを設け、かつ連動機器制御手段により少なくとも換気扇を制御し、熱源の停止後天板の温度が予め設定した所定温度以下に低下時に換気扇を停止する様に構成して成るものである。
【０００９】
本発明の請求項４の構成は、請求項３に記載の構成において、連動機器制御手段を、天板の温度が所定温度以下に低下後、予め設定した所定時間経過後に換気扇を停止する様に構成して成るものである。
【発明の効果】
【００１０】
本発明の請求項１に記載の構成により、操作手段の操作から熱源の使用時間を計測し、熱源の使用時間に応じて、熱源の使用を停止後の連動機器の運転時間を設定することで、連動機器の運転による無駄な電力消費量を低減する事が出来るものである。
【００１１】
本発明の請求項２に記載の構成により、上記請求項１に記載の構成において、熱源の使用時の火力に応じて連動機器の運転時間を補正することで、例えば弱い火力設定で熱源が使用された場合には連動機器の運転時間を短く補正すれば、運転時間の短縮により消費電力を低減する事が出来るものである。
【００１２】
本発明の請求項３に記載の構成により、上記請求項１又は２に記載の構成において、熱源の上方に配置した天板の温度に応じて換気扇の運転時間を制御することで、例えば調理時間が短い場合等の様に天板の温度が低い場合には換気扇の熱源停止後の運転時間が短くなり、換気扇による無駄な電力消費量を低減する事が出来るものである。
【００１３】
本発明の請求項４に記載の構成により、上記請求項３に記載の構成において、天板の温度が所定温度以下に低下してから所定時間経過後に換気扇を停止することで、例えば熱源がラジエントヒータの様に、サーモスタットの様な設定温度が固定されたサーモスイッチを備えたものにおいても、天板の温度が確実に低下する迄換気扇を運転する事が出来るものである。
【発明を実施するための最良の形態】
【００１４】
本発明による実施例を先ず図１に基づき説明すると、１はシステムキッチン等にドロップイン方式にて組み込んで使用されるラジエントヒータの調理器本体で、天面に耐熱ガラス製の天板２を装着していると共に、この天板の下方内部前後に、熱源となる一対のラジエントヒータ５，６を内蔵している。
【００１５】
一方、上記調理器本体１の天面手前には操作パネル７を配設していると共に、この操作パネルには、図２にても示す様に、上記手前に配置したラジエントヒータ５への通電をオン・オフ操作する運転キー８と、同じく火力を設定する一対の火力キー９，９と、上記後方に配置したラジエントヒータ６への通電をオン・オフ操作する運転キー１０と、同じく火力を設定する一対の火力キー１１，１１と、電源キー１２と、図示しない後述の換気扇への通電をオン・オフする換気キー１３と、図示しないレンジフード等に装着された後述の照明ランプへの通電をオン・オフする照明キー１４を横並びに配置している。
【００１６】
又、上記操作パネル７後方の天板２上には、上記換気扇への通電中に点灯する換気ランプ１５と、上記各ラジエントヒータ５，６の設定火力を表示する各４個の火力表示ランプ１６・・，１７・・と、電源キー１２のオン操作時に点灯する電源ランプ１８を配置している。
【００１７】
図３は上記ラジエントヒータ５，６等への通電を制御する回路ブロック図の要部を示すもので、商用電源（１００Ｖ或は２００Ｖ）２１に電源回路２２を介してマイクロコンピュータにて構成する制御回路２３を接続していると共に、上記商用電源２１には前ヒータ駆動回路２４を介して上記ラジエントヒータ５を接続し、後ヒータ駆動回路２５を介してラジエントヒータ６を接続し、照明駆動回路２６を介して照明ランプ２７を接続し、換気扇駆動回路２８を介して換気扇２９を接続している。
【００１８】
一方、上記制御回路２３の出力ポートには、上記前ヒータ駆動回路２４と、後ヒータ駆動回路２５と、上記天板２上に配置した各ランプ１５〜１８への通電を制御する表示ランプ駆動回路３０と、照明駆動回路２６と、換気扇駆動回路２８を接続していると共に、これら照明駆動回路と換気扇駆動回路を制御する連動機器制御手段３１を設けている。
【００１９】
又、上記制御回路２３の入力ポートには、上記操作パネル７に配置した各操作キー８〜１３の入力を検出するキー入力回路３２と、上記ラジエントヒータ５，６に内蔵したバイメタルスイッチや液体膨張式のサーモセンサ等で構成したサーモスイッチ３３，３４の出力を検出するサーモモニター回路３５，３６の出力を各々接続している。
【００２０】
尚、上記サーモスイッチ３３，３４は、各々ラジエントヒータ５，６内部とその周囲の天板２の温度とを検出する様に構成しており、これらの温度が予め設定した所定温度（例えば７０度Ｃ）以上に上昇すると接点を閉じ、所定温度以下に低下すると接点を開く様に構成している。
【００２１】
一方、上記制御回路２３は、上記キー入力回路３０の出力からラジエントヒータ５，６への通電開始から通電停止迄の時間を計測する調理時間計測手段３７を設けており、上記操作パネル７に配置された運転キー８，１０がオン操作されてからオフ操作される迄の時間を計測する様に構成している。
【００２２】
而して、電源キー１２をオン操作することで、このキー操作をキー入力回路３２を介して制御回路２３が検出し、表示ランプ駆動回路３０に駆動用の出力信号を出力して電源ランプ１２を点灯する。
【００２３】
次いで、運転キー８，１０がオン操作されると、これを制御回路２３が検出してヒータ電源駆動回路２７を駆動し、リレー接点２４，２４を閉じると共に、前後ヒータ駆動回路２４，２５を駆動してオン操作されたラジエントヒータ５，６に通電し、天板２の各ラジエントヒータの上に載置された鍋等の被調理物を加熱する。
【００２４】
又、制御回路２３は、上記運転キー８，１０のオン操作と同時、又はオン操作から所定時間経過後に換気扇駆動回路２８を制御して換気扇２９に通電して回転を開始し、照明キー１４は、電源キー１２のオン・オフ操作に関係なく、オン操作すれば照明駆動回路２６により照明ランプ２７に通電して点灯し、オフ操作により消灯する。
【００２５】
一方、運転キー８，１０がオン操作された時には、ラジエントヒータ５，６を例えば「３」の火力に設定して加熱を開始し、火力キー９，９、１０，１０の操作により火力を変更し、設定火力は上記の火力表示ランプ１６・・，１７・・の点灯により確認する。
【００２６】
尚、上記実施例では運転キー１２，１４がオン操作されると「３」火力で加熱を開始する様に設定しているが、これに限定されるものではなく、設定火力も、４段階に限定されることなく、５段階や８段階等に設定する様に構成しても良い。
【００２７】
一方、加熱を停止する場合は運転キー８，１０のオフ操作により行い、制御回路２３はこの操作を検出してヒータ駆動回路２４，２５を制御し、ラジエントヒータ５，６への通電を停止する。
【００２８】
更に上記制御回路２３は、ラジエントヒータ５，６への通電を開始すると調理時間計測手段３７により計時を開始すると共に、運転キー８，１０のオフ操作により通電が停止されると、計測した通電時間に応じて、例えば図４にて示す予め設定した所定時間経過後に換気扇２９への通電を停止する。
【００２９】
これらの構成により、比較的簡素な構成にて、調理時間であるラジエントヒータ５，６の通電時間に応じて、これらヒータの使用停止後における換気扇２９の運転時間を設定でき、この換気扇の運転による無駄な電力消費を防止する事が出来るものである。
【００３０】
又、上記制御回路２３は、ラジエントヒータ５，６の設定火力に応じて換気扇２９の運転時間を設定する様に構成しており、これにより、調理時に発生した熱量に応じた排気量を設定することで、効率的に換気扇２９等の連動機器を運転制御する事が出来るものである。
【００３１】
図５は本発明の他の実施例を示すフローチャートで、Ｓ１にて運転キー８，１０がオフ操作されて調理が終了すると、Ｓ２にて換気扇２９に通電されているか否か判定し、通電中であればＳ３に進んで上記サーモスイッチ３３，３４の出力より天板２の温度が所定温度以上か否か判定し、以上であれば継続して換気扇２９に通電して運転を継続し、所定温度以下に低下した場合にはＳ４に進んで換気扇２９への通電を停止する。
【００３２】
これらの構成により、比較的簡単な構成にて、換気扇２９を効率的に調理の終了後も継続して運転することが可能となり、換気扇による無駄な電力の消費を防止する事が出来るものである。尚、天板２の温度は、調理時間や気温にも左右され、これらにより換気扇の運転時間を、的確かつ効率的に設定出来るものである。
【００３３】
更に、図６は本発明の他の実施例を示すもので、Ｓ５にて運転キー８，１０がオフ操作されて調理が終了すると、Ｓ６にて換気扇２９に通電されているか否か判定し、通電中であればＳ７に進んで上記サーモスイッチ３３，３４の出力より天板２の温度が所定温度以上か否か判定し、以上であれば継続して換気扇２９に通電して運転を継続し、所定温度以下に低下した場合にはＳ８に進んで予め設定した所定時間（例えば１０分）計測し、所定時間経過すればＳ９に進んで換気扇２９を停止する。
【００３４】
これらの構成により、サーモスイッチ３３，３４の所定温度が固定されている場合でも、換気扇２９の運転時間を調整することが可能となり、例えば換気扇２９の運転時間が長い場合にはサーモスイッチ３３，３４の設定温度を高めに設定し、サーモスイッチ３３，３４オフ後の換気扇２９の運転時間を短く設定することで、換気扇２９による無駄の電力の消費を防止する事が出来るものである。
【図面の簡単な説明】
【００３５】
【図１】本発明の実施例を示す斜視図である。
【図２】同じく操作パネルの周辺を示す平面図である。
【図３】同じく回路ブロック図の実施例である。
【図４】同じく調理時間と連動機器の動作時間との対応図である。
【図５】同じく動作説明用のフローチャートである。
【図６】同じく他の実施例を示すフローチャートである。
【符号の説明】
【００３６】
２    天板
５    ラジエントヒータ（熱源）
６    ラジエントヒータ（熱源）
７    操作パネル（操作手段）
２９  換気扇
３１  連動機器制御手段
３３  サーモスイッチ
３４  サーモスイッチ
３７  調理時間計測手段
【図１】
2008241119.tif 000003
【図２】
2008241119.tif 000004
【図３】
2008241119.tif 000005
【図４】
2008241119.tif 000006
【図５】
2008241119.tif 000007
【図６】
2008241119.tif 000008